(57)【要約】【課題】物品の縦、横両面の視認ないしは斜視による視認可能な態様に物品を揃置収納でき、美観も害することの少ない多機能型陳列棚装置を提供する。【解決手段】底域に鈎状部１ａが形成された仕切板１に一体成形された第１垂立固定板３ａ〜ｂを垂立支持フレーム板２に設けられた陥凹部６ａ〜ｃのいずれかにおける第１垂立固定板嵌着孔８ａ〜ｂに挿嵌し、そのまま奥行き方向へ摺動させ、仕切板１を垂立固定する。仕切板１は、平行に垂立固定するのを典型例とし、通常の奥行き方向のみならず、斜め方向に平行配設してもよい。物品の陳列方法は、多岐にわたる。【選択図】図３
2005103105.tif 000002
【特許請求の範囲】
【請求項１】
陳列物を載置する棚板もしくは垂立支持フレーム板にスリットが形成され、該スリットに仕切板の一部を挿入して仕切板を垂立固定する陳列棚装置において、前記仕切板の底面に垂立固定板が形成され、該垂立固定板を前記スリットに嵌着して仕切板を垂立固定し、該垂立固定の方向が、通常奥行き方向、斜め奥行き方向、ないしは通常奥行き方向と斜め奥行き方向を併用して形成されたことを特徴とする多機能型陳列棚装置。
【請求項２】
仕切板の底面に形成される垂立固定板が、垂立支持フレーム下部に形成される第１垂立固定板と、該第１垂立固定板とともに前記棚板の構成板材もしくは垂立支持フレーム板の厚み部分を挟持し垂立支持フレーム上部に形成される第２垂立固定板とにより構成され、前記棚板もしくは垂立支持フレーム板に第１垂立固定板嵌着孔が穿設され、また該第１垂立固定板嵌着孔より、第１、第２垂立固定板の介設材である垂在幹が摺動自在に一定範囲、奥行き方向に案内される線状案内孔が延在穿設され、これら第１垂立固定板嵌着孔、線状案内孔の装設部分を含む第２垂立固定板摺動域が、前記第２垂立固定板の形状に応じ陥凹し、該陥凹部が、随意位置に、通常奥行き方向のほか、斜め奥行き方向にも形成されたことを特徴とする請求項１記載の多機能型陳列棚装置。
【請求項３】
仕切板が略Ｌ字状であって、底部に鈎状部が形成されたことを特徴とする請求項１または２記載の多機能型陳列棚装置。
【請求項４】
垂立支持フレーム板が、棚板より独立した部材であることを特徴とする請求項１または２記載の多機能型陳列棚装置。
【請求項５】
垂立支持フレーム板下部にマグネットが装着もしくはマグネット部材により構成され、棚板上面ないしは垂立支持フレーム板載置面が感磁性素材からなることを特徴とする請求項４記載の多機能型陳列棚装置。
【請求項６】
垂立支持フレーム板が、横方向に連設可能であることを特徴とする請求項４または５記載の多機能型陳列棚装置。
【発明の詳細な説明】
【技術分野】
【０００１】
本発明は、多機能型陳列棚装置に関するものである。
【０００２】
陳列棚装置なるものには、単に棚板上に陳列物を揃置するものから、上下奥行き方向に立体的に陳列するものなど多々あるが、本発明は、一棚板上に、単なる揃置のみならず、サンプル的陳列、大きさの異なるものの陳列が可能な多機能型陳列棚装置に関するものである。
【背景技術】
【０００３】
本発明の背景技術となるものは、特開平８−１０１１３である。この技術は、基本的に、陳列棚の仕切板を、その固定手段であり、棚本体を構成する底板と背板の随所に設けられたスリットに挿着するものである。
【特許文献１】特開平８−１０１１３号公報
【発明の開示】
【発明が解決しようとする課題】
【０００４】
一般に、陳列棚に物品を陳列するときは、特にその物品が書籍、ＣＤケース、ビデオケースなど、直方体状ないし薄直方体状のものの場合、通常の奥行き方向に揃置収納するのみであり、そのような場合、物品の大きさが仕切板幅に合わない場合や大きさがまちまちであった場合、重ね載置したり、乱載置されることが多く、美観に乏しいものとなる場合が多い。また通常奥行き方向に揃置収納された場合、中間域に揃在する直方体状物品の側面は、殆ど視認不可能である、という課題があった。
【０００５】
本発明はこのような課題にかんがみ、物品の縦、横両面の視認ないしは斜視による視認可能な態様に物品を揃置収納でき、美観も害することの少ない多機能型陳列棚装置を提供することを目的とする。
【課題を解決するための手段】
【０００６】
本発明は、陳列物を載置する棚板もしくは垂立支持フレーム板にスリットが形成され、該スリットに仕切板の一部を挿入して仕切板を垂立固定する陳列棚装置において、前記仕切板の底面に垂立固定板が形成され、該垂立固定板を前記スリットに嵌着して仕切板を垂立固定し、該垂立固定の方向が、通常奥行き方向、斜め奥行き方向、ないしは通常奥行き方向と斜め奥行き方向を併用して形成されたことを最も主要な特徴とする。
【０００７】
前項記載の主要課題解決手段のもとに、本発明は、より具体的、理想的な課題解決手段として、仕切板の底面に形成される垂立固定板が、垂立支持フレーム下部に形成される第１垂立固定板と、該第１垂立固定板とともに前記棚板の構成板材もしくは垂立支持フレーム板の厚み部分を挟持し垂立支持フレーム上部に形成される第２垂立固定板とにより構成され、前記棚板もしくは垂立支持フレーム板に第１垂立固定板嵌着孔が穿設され、また該第１垂立固定板嵌着孔より、第１、第２垂立固定板の介設材である垂在幹が摺動自在に一定範囲、奥行き方向に案内される線状案内孔が延在穿設され、これら第１垂立固定板嵌着孔、線状案内孔の装設部分を含む第２垂立固定板摺動域が、前記第２垂立固定板の形状に応じ陥凹し、該陥凹部が、随意位置に、通常奥行き方向のほか、斜め奥行き方向にも形成された構成をとりうるものである。
【０００８】
これらの課題解決手段のもとに、本発明では、仕切板が略Ｌ字状であって、底部に鈎状部が形成された構成、垂立支持フレーム板が、棚板より独立した部材である構成をそれぞれ独立にとりうるものであり、特に後者の課題解決手段の構成のもとに、本発明は、垂立支持フレーム板下部にマグネットが装着もしくはマグネット部材により構成され、棚板上面ないしは垂立支持フレーム板載置面が感磁性素材からなる垂立支持フレーム板下部にマグネットが装着もしくはマグネット部材により構成されたり、或いは垂立支持フレーム板が、横方向に連設可能であったりする構成をとりうるものである。
【発明の効果】
【０００９】
本発明の多機能型陳列棚装置は、上述の課題解決手段により、仕切板を斜めに配した場合、中間域に揃在する直方体状物品の側面の一部も視認可能となる。また丈の高い物品も、縦に収納すべきものを横に収納し、さらにそれを単純な通常の奥行き方向に揃置収納するのではなく、斜めにして揃置収納可能となるため、美観に富み。従前には見られなかった陳列収納態様が現出する。
【００１０】
また、垂立固定板が、第１、第２垂立固定板とにより構成され、棚板の構成板材もしくは垂立支持フレーム板の厚み部分を挟持する構成のものでは、棚板もしくは垂立支持フレーム板に穿設された第１垂立固定板嵌着孔に第１垂立固定板を挿嵌し、そのまま垂在幹を奥行き方向に最終点まで摺動させれば、言い換えれば、垂在幹を線状案内孔に案内させて最終点まで摺動させ固定すれば、随意幅で仕切板が固定され、陳列物品の揃置収納が可能となる。この揃置収納状態は、通常の厚み部分を横に配して揃置収納する陳列収納態様の他、斜め方向の揃置収納も、或いは厚み部分以外の面をそれぞれ当接させて垂在揃置収納する方法も可能である。
【００１１】
このような揃置収納時においては、第１垂立固定板嵌着孔、線状案内孔の装設部分を含む第２垂立固定板摺動域が、前記第２垂立固定板の形状に応じ陥凹し、該陥凹部が、随意位置に、通常奥行き方向のほか、斜め奥行き方向にも形成されているため、物品載置面は、ほぼ平面となり、収納状態は良好である。
【００１２】
仕切板が略Ｌ字状であって、底部に鈎状部が形成されたものは、特段の新規性を有するものではないが、本発明において、例えば斜め方向で仕切板が一定幅にて平行垂立固定された状態にあっては、その鈎状部分に、たとえばＣＤケースなどを掛置陳列することもできる。これは従前には無かった陳列態様である。
【００１３】
垂立支持フレーム板が、棚板より独立した部材である構成によれば、陳列棚、或いは棚板とともに使用する必要はなくなり、例えば垂立支持フレーム板を机上に載置してラックのように使用したり、机上に限らず水平面状の場所であれば、どこでも陳列のための装置として機能しうる。
【００１４】
本発明において、垂立支持フレーム板下部にマグネットが装着もしくはマグネット部材により構成され、棚板上面ないしは垂立支持フレーム板載置面が感磁性素材からなる垂立支持フレーム板下部にマグネットが装着もしくはマグネット部材により構成されるものにあっては、棚板上ないし垂立支持フレーム板載置面の随所に、垂立支持フレーム板の一時固定が可能となるため、その利便性は頗る良い。
【００１５】
また本発明において、垂立支持フレーム板が、横方向に連設可能であれば、例えば棚板の長さに適合した幅の陳列収納範囲が保全され、実際上極めて有用である。さらに垂立支持フレーム板が、切断加工が容易な素材であれば、使用者の意図した幅の陳列収納範囲が随意に決定されるため、その有用性は一層向上する。
【発明を実施するための最良の形態】
【００１６】
以下本発明多機能陳列棚装置の実施形態を図面を参照しつつ詳述する。
【００１７】
図１は、本発明多機能陳列棚装置の実施形態の構成部材である仕切板の図であって、（ａ）はその側面図であり、（ｂ）はその正面図である。同じく図２は本発明多機能陳列棚装置の実施形態の構成部材である垂立支持フレーム板の図であって、（ａ）はその平面図であり、（ｂ）はその側面図である。また、図３は、本発明多機能陳列棚装置の実施形態の使用状態を示す斜視図である。これら図１〜３に示されるように、本実施形態は、仕切板１、垂立支持フレーム板２より構成される。
【００１８】
仕切板１は、図１（ａ）（ｂ）に示されるように、略Ｌ字状であって、底部に鈎状部１ａが形成されている。また仕切板１の下部には、下方に２箇所設けられた第１垂立固定板３ａ〜ｂ、上方に仕切板１を挟んで縦長フランジ状に設けられた第２垂立固定板４、４ａ〜ｂが、２箇所設けられた第１、第２垂立固定板３、４の間に垂在幹５ａ〜ｂがそれぞれ形成されている。なお、仕切板１の構成素材は、一般的な中密不透明素材の他、実施例としては、合成樹脂製透明素材などの透明素材、或いは不透明素材でも一部切欠形状であるものなど、陳列物品の全体ないし一部が仕切板１を通して視認可能なものを使用してもよい。
【００１９】
垂立支持フレーム板２は、図２（ａ）（ｂ）に示されるように、長方形の陥凹部６が放射状に、即ち通常奥行き方向、右斜め奥行き方向、左斜め奥行き方向に３本６ａ〜ｃ設けられる。６ｂが通常奥行き方向の陥凹部とすれば、他２本の陥凹部６ａ、６ｃは、これより１５度から４５度の角度で設けられるのが望ましい。垂立支持フレーム板１枚につき、この放射状の陥凹部６ａ〜ｃ、言うなれば星形陥凹部分７は、全部で３箇所、連続して設けられる。この３本の陥凹部６ａ〜ｃの幅は、第２垂立固定板４の幅に等しい。
【００２０】
陥凹部６ａ〜ｃには、陥凹部１本につき、２箇所の第１垂立固定板嵌着孔８ａ、８ｂが穿設される。またこれら第１垂立固定板嵌着孔８ａ、８ｂより、仕切板１の構成部材である垂在幹５が摺動自在に一定範囲、奥行き方向に案内される線状案内孔９ａ、９ｂが延在穿設されている。また仕切板１の構成部材である第１第２垂立固定板３、４の間隙は、陥凹部６ａ〜ｃの厚みに等しい。なお垂立支持フレーム板２の下部には、陥凹部６ａ〜ｃに該当しないほぼ正方形部分にマグネット１０が固定嵌装される。
【００２１】
以上のような構成により、仕切板１の第１垂立固定板３ａ〜ｂを第１垂立固定板嵌着孔８ａ、８ｂに挿嵌し、そのまま垂在幹を奥行き方向に最終点まで摺動させ、固定する。摺動案内は線状案内孔９ａ、９ｂにより行われる。従って摺動最終点は、線状案内孔９ａ、９ｂの端点となる。１つの星形陥凹部分７につき、仕切板１は、１枚のみ垂立固定されることとなる。
【００２２】
仕切板１は、通常陳列収納される物品Ｗの幅に応じ、適宜箇所に平行に垂立固定される。また略Ｌ字状であって、底部に鈎状部１ａが形成されているため、たとえば本実施形態の使用状態を示す斜視図である図３に示されるように、ＣＤケースなどを、視覚的訴求力の大きい面を前面にして陳列する傍らに、通常の方法で陳列収納するということも可能である。
【００２３】
さらに、仕切板１は、通常陳列収納される物品Ｗの幅に応じ、適宜箇所に平行に垂立固定されることが多いものの、平行の方向が斜め奥行き方向であることも、また物品Ｗの落下を防ぐために、前面に向かいＶ字状に仕切板１を取り付け、仕切板１によって囲まれた部分に物品Ｗを陳列収納することも可能である。このため、丈の高い物品も、縦に収納すべきものを横に収納し、さらにそれを単純な通常の奥行き方向に揃置収納するのではなく、図４に示されるように、斜めにして揃置収納可能となり、斜めにして載置された物品Ｗの側面は、一部でも視認可能となり、美観上、安全上優れた状態を現出しうる。例えば合成樹脂製透明素材などの透明素材、或いは不透明素材でも一部切欠形状であるものなど、陳列物品の全体ないし一部が仕切板１を通して視認可能なものを使用する実施例にあっては、優れた美観を呈するばかりでなく、物品の視覚的訴求力のある部分を損なうことなく陳列することが可能となる。
【００２４】
本実施形態における垂立支持フレーム２は、図５に示されるように、横方向の連設が可能であるため、陳列物品Ｗの幅や分量に応じて、垂立支持フレーム２を連設し、仕切板１の垂立固定箇所を自在に変えればよい。従って、物品Ｗの幅や分量によっては、連設部接合線上に物品Ｗが載置されることもあり得るが、垂立支持フレーム２は、連設された全域にわたり、ほぼ同一の平面を保持しうるものであり、陳列収納上の問題はない。
【００２５】
図６は、感磁性棚板１１の上に、マグネット１０を介して垂立支持フレーム板２が載置固定されていることを示す図である。この図６に示されている態様は、随意位置に固定できる垂立支持フレーム板２の載置固定位置の一例に過ぎず、感磁性棚板１１の上であれば、随意位置で垂立支持フレーム板２は、移動固定可能である。
【００２６】
以上詳述された本発明実施形態から、本発明多機能型陳列棚装置によれば、物品Ｗの縦、横両面の視認ないしは斜視による視認可能な態様に物品Ｗを揃置収納でき、美観も害することの少ない多機能型陳列棚装置が提供される。  
【産業上の利用可能性】
【００２７】
本発明は、陳列棚装置ではあるが、単なる陳列棚或いはその付属物に留まることなく、一般に載置可能な台状水平面があれば、随所に陳列ないし陳列収納空間を現出できるものであり、仕切の方法も、頗るバリエーションに富む。
【図面の簡単な説明】
【００２８】
【図１】（ａ）は本発明実施形態構成部材である仕切板の側面図であり、（ｂ）は同正面図である。
【図２】（ａ）は本発明実施形態の構成部材である垂立支持フレーム板の平面図であり、（ｂ）は同側面図である。
【図３】本発明実施形態の使用状態を示す斜視図である。
【図４】本発明実施形態の仕切板を斜め方向に平行に配し物品を斜めに揃置収納した使用状態を示す略斜視図である。
【図５】本発明実施形態の構成部材である垂立支持フレームの連設状態を示す分解斜視図である。
【図６】本発明実施形態多機能型陳列棚装置が感磁性棚板上に載置固定された状態を示す斜視図である。
【符号の説明】
【００２９】
１              仕切板
１ａ            鈎状部
２              垂立支持フレーム
３、３ａ〜ｂ    第１垂立固定板
４、４ａ〜ｂ    第２垂立固定板
５、５ａ〜ｂ    垂在幹
６ａ〜ｃ        陥凹部
７              星形陥凹部分
８ａ〜ｂ        第１垂立固定板嵌着孔
９ａ〜ｂ        線状案内孔
１０            マグネット
１１            感磁性棚板
Ｗ              陳列物品
【図１】
2005103105.tif 000003
【図２】
2005103105.tif 000004
【図３】
2005103105.tif 000005
【図４】
2005103105.tif 000006
【図５】
2005103105.tif 000007
【図６】
2005103105.tif 000008